【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
長尺な操作ポールと、該操作ポールに被操作体が設けられ、該被操作体とホルダーは紐状体により連結され、引くと該被操作体を遠隔操作可能なように構成したことを特徴とするホルダー。
【請求項２】
前記操作ポールの長手方向に沿って移動可能なスライド固定部を備えた請求項１に記載のホルダー。
【請求項３】
前記スライド固定部は前記操作ポールの円周の半分以上をおおう長さに形成された請求項２に記載のホルダー。
【請求項４】
前記ホルダーには指を掛ける指掛け部を備え、前記操作ポールを把持する手の指が届く位置に該指掛け部を備えた請求項１〜３いずれかに記載のホルダー。
【請求項５】
前記紐状体を巻き付けることにより前記紐状体の長さを調節可能な巻付体を備えた請求項１〜４いずれかに記載のホルダー。
【請求項６】
長尺な操作ポールと、該操作ポールの上端側に設けられた被操作体と、該被操作体に連結され操作ポールの下端側で被操作体を遠隔操作する紐状体とを備え、被操作体の紐状体を引き下げて操作するホルダーであって、紐状体を巻き付けて紐状体の長さを調整する巻付体と、該巻付体に設けられ操作ポールの側面に装着して操作ポールの長手方向に沿ってスライド移動するように設けられたスライド固定部と、巻付体に設けられ操作ポールを持つ手の指を掛ける指掛け部とを備え、該指掛け部に掛けた指で巻付体ごと紐状体を引き下げるように構成したことを特徴とするホルダー。
【請求項７】
長尺な操作ポールと、該操作ポールの上端側に設けられた被操作体と、該被操作体に連結され操作ポールの下端側で被操作体を遠隔操作する紐状体とを備え、被操作体の紐状体を引き下げて操作するホルダーの操作方法であって、紐状体を巻き付けて紐状体の長さを調整する巻付体と、該巻付体に設けられ操作ポールの側面に装着して操作ポールの長手方向に沿ってスライド移動するように設けられたスライド固定部と、巻付体に設けられ操作ポールを持つ手の指を掛ける指掛け部とを備え、該指掛け部に掛けた指で巻付体ごと紐状体を引き下げるようにしたことを特徴とするホルダーの操作方法。
【手続補正２】
【補正対象書類名】明細書
【補正対象項目名】全文
【補正方法】変更
【補正の内容】
【発明の詳細な説明】
【発明の名称】ホルダー及びその操作方法
【技術分野】
【０００１】
本発明は、所定の固定部材を高所に取付けるように構成された取付け工具に装着するもので、例えばケーブルや配管用の支持金具や危険表示旗などの固定部材を、高所にある吊りボルト等の支持体に取付ける際に使用する取付け工具の操作性を高めることができるホルダー及びその操作方法に関するものである。
【背景技術】
【０００２】
各種の固定部材を高所の支持体に取付ける際に使用する取付け工具として、特許文献１〜特許文献３に記載の取付け工具が提案されている。
【０００３】
特許文献１に記載の取付け工具は、配線・配管材を支持する固定部材を建物の高所に取付ける工具で、天井スラブ等から垂設された吊りボルトに固定部材を固定する際に使用する工具である。
【０００４】
特許文献２に記載の取付け工具は、引き込み電線等の支持体に危険標示旗を取り付ける工具で、例えば、引き込み線等が道路を横断して架設されている場合に、その引き込み線に危険標示旗を取り付ける際に使用する。
【０００５】
特許文献３に記載の取付け工具は、メッセンジャーワイヤーを支持体とし、この支持体に固定部材であるケーブルハンガーを着脱する際に使用する工具であり、ケーブルハンガーの両端に設けられている鉤状フックをメッセンジャーワイヤーに掛止するように構成したものである。
【０００６】
これら従来の取付け工具に共通する構成は、いずれも操作ポールの先端に設けた保持体に固定部材を着脱自在に装着して高所に運び、保持体に連結された操作用の紐状体を操作ポールの基端部で遠隔操作する構成にある。すなわち、操作ポール先端の保持体を紐状体にて遠隔操作し、保持体に保持した固定部材を高所の支持体に取付けるように構成したものである。
【先行技術文献】
【特許文献】
【０００７】
【特許文献１】特開２０１３-９０３９４号公報
【特許文献２】特開２０１１-２４４６０７号公報
【特許文献３】実公平７-９５３８号公報
【発明の概要】
【発明が解決しようとする課題】
【０００８】
これら従来の取付け工具において、紐状体の遠隔操作を行う場合、一方の手で操作ポールを保持しながら他方の手で紐状体を引き下げることになる。すなわち、操作ポールの先端に保持した固定部材を、高所の支持体の位置に合わせるように片手で操作しながら、もう片方の手で紐状体を引き下げる操作を行うものである。そのため、操作ポールの長さが長くなるほど操作ポールの片手操作が難しくなる。
【０００９】
また、紐状体の操作は、操作ポール先端の固定部材が高所の支持体に届いた位置を保持しながら紐状体を引き下げる操作になる。このとき、紐状体を引き下げる際に操作ポールの先端に力が加わると、先端の位置がずれてしまう虞があった。
【００１０】
仮に、狙った位置以外に固定部材を固定してしまうと、固定部材の位置を修正することは極めて困難になるケースもある。そのため、この種の取付け工具では、操作ポールや紐状体の遠隔操作をいかに正確に行えるかが重要な課題になっていた。
【００１１】
そこで本発明は、上述の課題を解消すべく創出されたもので、所定の固定部材を高所の支持体に取付ける際に使用する取付け工具の操作性を高めることができ、操作ポールや紐状体の遠隔操作を容易に、且つ、正確に行うことができる取付け工具用ホルダー及びその操作方法の提供を目的とする。
【課題を解決するための手段】
【００１２】
上述の目的を達成すべく本発明における第１の手段は、長尺な操作ポール１１０と、該操作ポール１１０に被操作体が設けられ、該被操作体とホルダー１は紐状体１３０により連結され、引くと該被操作体を遠隔操作可能なように構成したことにある。
【００１３】
第２の手段は、前記操作ポール１１０の長手方向に沿って移動可能なスライド固定部２０を備えたものである。
【００１４】
第３の手段の前記スライド固定部２０は前記操作ポール１１０の円周の半分以上をおおう長さに形成されたものである。
【００１５】
第４の手段の前記ホルダー１には指を掛ける指掛け部３０を備え、前記操作ポール１１０を把持する手の指が届く位置に該指掛け部３０を備えている。
【００１６】
第５の手段は、前記紐状体１３０を巻き付けることにより前記紐状体１３０の長さを調節可能な巻付体１０を備えたものである。
【００１７】
第６の手段は、長尺な操作ポール１１０と、該操作ポール１１０の上端側に設けられた被操作体と、該被操作体に連結され操作ポール１１０の下端側で被操作体を遠隔操作する紐状体１３０とを備え、被操作体の紐状体１３０を引き下げて操作するホルダー１であって、紐状体１３０を巻き付けて紐状体１３０の長さを調整する巻付体１０と、該巻付体１０に設けられ操作ポール１１０の側面に装着して操作ポール１１０の長手方向に沿ってスライド移動するように設けられたスライド固定部２０と、巻付体１０に設けられ操作ポール１１０を持つ手の指を掛ける指掛け部３０とを備え、該指掛け部３０に掛けた指で巻付体１０ごと紐状体１３０を引き下げるように構成したことを特徴とするホルダー。
【００１８】
第７の手段は、長尺な操作ポール１１０と、該操作ポール１１０の上端側に設けられた被操作体と、該被操作体に連結され操作ポール１１０の下端側で被操作体を遠隔操作する紐状体１３０とを備え、被操作体の紐状体１３０を引き下げて操作するホルダー１の操作方法であって、紐状体１３０を巻き付けて紐状体１３０の長さを調整する巻付体１０と、該巻付体１０に設けられ操作ポール１１０の側面に装着して操作ポール１１０の長手方向に沿ってスライド移動するように設けられたスライド固定部２０と、巻付体１０に設けられ操作ポール１１０を持つ手の指を掛ける指掛け部３０とを備え、該指掛け部３０に掛けた指で巻付体１０ごと紐状体１３０を引き下げるようにしたホルダーの操作方法にある。
【発明の効果】
【００１９】
本発明ホルダーのように、操作ポール１１０下端側の紐状体１３０を巻き付けて紐状体１３０の長さを調整する巻付体１０と、該巻付体１０に設けられ操作ポール１１０の側面に装着して操作ポール１１０の長手方向に沿ってスライド移動するように設けられたスライド固定部２０と、操作ポール１１０を持つ手の指で係止する位置に設けられ巻付体１０と共に連動する指掛け部３０とを備えたことにより、操作ポール１１０を両手で支えながら、操作ポール１１０を持つ手の指にて巻付体１０を引き下げることが可能になった。
【００２０】
しかも、巻付体１０によって紐状体１３０の長さを調整できるので、操作ポール１１０を両手で支持する際に、操作しやすい位置に指掛け部３０を配置することができる。したがって、操作ポール１１０を両手で支持しながら片方の指先だけで紐状体１３０を引き下げることが可能になる。この結果、従来のように紐状体を引き下げる際に、固定部材を保持している操作ポール１１０の先端がぶれるといった虞は極めて少なくなり、高所でも正確な取付けが可能になった。
【００２１】
指掛け部３０は巻付体１０と一体に形成され、操作ポール１１０を握る手の人差し指が届く位置に指掛け部３０を備えているので、操作ポール１１０を握る手の指で指掛け部３０を操作する作業が容易になる。したがって、作業者は操作ポール１１０を両手でしっかりと支持しながら操作ポール１１０から手を離すことなく指掛け部３０の操作を極めて簡単に行えるものである。
【００２２】
スライド固定部２０は、巻付体１０と一体に形成され、操作ポール１１０の左右側面を挟持する一対の挟持片２１を備えているので、操作ポール１１０への着脱作業が簡単に行える。したがって、操作ポール１１０と巻付体１０とを別々に収納し、使用時に組立てることができる。この結果、収納し易く、持ち運びにも便利である。
【００２３】
巻付体１０は、前記紐状体１３０を巻き付け保持する胴部１１と、該胴部１１に巻き付けた前記紐状体１３０を係止せしめるフック部１２と、前記紐状体１３０の端部を挿入して紐状体１３０に巻付体１０を連結する連結孔１３とを備えているので、紐状体１３０の長さを調整するために巻付体１０に巻き付けた紐状体１３０は、常に巻付体１０と一体になる。このため、例えば、垂れ下がった紐を足で踏んで金具が外れるなど、余分な長さの紐状体１３０が操作を妨げるような不都合は解消された。
【００２４】
本発明ホルダーの操作方法によると、部材保持体１２０に保持した固定部材Ｓを高所の支持体Ｔに固定する際に、操作ポール１１０を持つ手の指を指掛け部３０に掛けて巻付体１０を引き下げ、該巻付体１０と共にスライド移動する紐状体１３０で部材保持体１２０を遠隔操作する操作により、一定した方向から紐状体１３０を引き下げる操作が可能になった。この結果、固定部材Ｓを保持している操作ポール１１０の先端がぶれるといった虞は極めて少なくなり、高所でも正確な取付けが可能になるものである。
【図面の簡単な説明】
【００２５】
【図１】本発明の使用状態を示す正面図である。
【図２】本発明の一実施例を示す斜視図である。
【図３】本発明の一実施例を示す平面図である。
【図４】本発明の一実施例を示す側面図である。
【図５】（イ）、（ロ）、（ハ）は、本発明の他の実施例を示す斜視図である。
【図６】取付け工具の一実施例を示す要部斜視図である。
【図７】部材保持体に固定部材を装着する状態を示す側断面図である。
【図８】部材保持体に固定部材を固定した状態を示す側断面図である。
【図９】部材保持体に固定部材を装着する側面図である。
【図１０】部材保持体に固定部材を固定した側面図である。
【図１１】固定した固定部材の切欠係止口に支持体を入れた側面図である。
【図１２】部材保持体を支持体から解除した側面図である。
【図１３】支持体に固定部材を固定した側面図である。
【発明を実施するための形態】
【００２６】
本発明ホルダーは、所定の固定部材Ｓを高所の支持体Ｔに取付ける際に使用する取付け工具１００に装着するホルダーである。本発明において固定部材Ｓとは、例えば、ケーブルや配管用の支持金具、あるいは危険表示旗などの部材を示す。そして、取付け工具１００とは、これらの固定部材Ｓを、高所にある吊りボルトや引き込み電線、メッセンジャーワイヤー等の支持体Ｔに取付ける際に使用する各種の取付け工具１００を指す。
【００２７】
すなわち、本発明のホルダー１を装着する取付け工具１００の基本的構成は、長尺な操作ポール１１０と、該操作ポール１１０の上端側に設けられた部材保持体１２０と、該部材保持体１２０を操作ポール１１０の下端側で遠隔操作する紐状体１３０とを備えた取付け工具である（図１参照）。そして、紐状体１３０を引き下げると、部材保持体１２０に保持された固定部材Ｓが高所の支持体Ｔに固定されるように構成したものである（図１３参照）。
【００２８】
本発明のホルダー１は、この取付け工具１００に装着して操作ポール１１０の操作や紐状体１３０の遠隔操作を容易にするもので、巻付体１０、スライド固定部２０、指掛け部３０を備えている（図１参照）。
【００２９】
巻付体１０は、紐状体１３０を巻き付けて紐状体１３０の長さを調整する部材である。この巻付体１０は、胴部１１とフック部１２と連結孔１３とを備えている（図２参照）。胴部１１は、紐状体１３０を巻き付け保持する部位で、図示例では楕円形状を成している（図３参照）。フック部１２は、この胴部１１に巻き付けた紐状体１３０の一部を係止せしめる部位で、図示のフック部１２は４か所に形成している。連結孔１３は、紐状体１３０の端部を通して紐状体１３０に巻付体１０を連結する部位である。図示の連結孔１３は、紐状体１３０の端部に形成した結び目１３２ごと挿入できる大きさの挿入口１３Ａと、この結び目１３２が係止する係止口１３Ｂとで形成している（図２参照）。
【００３０】
スライド固定部２０は、巻付体１０に設けられ操作ポール１１０の側面に装着して操作ポール１１０の長手方向に沿ってスライド移動するように設けられている（図１参照）。図示のスライド固定部２０は、巻付体１０と一体に形成され（図４参照）、操作ポール１１０の左右側面を挟持する一対の挟持片２１を備えたものである（図２参照）。
【００３１】
指掛け部３０は、操作ポール１１０を持つ手の指を掛ける位置に設けられる部位で、巻付体１０に設けている（図１参照）。図示の指掛け部３０は、巻付体１０と一体に形成したものである。すなわち、楕円形の環状を成した巻付体１０の端部を指掛け部３０として使用するもので、巻付体１０を直接指先で操作するように構成している（図３参照）。
【００３２】
また、図５（イ）〜（ハ）は、本発明のホルダー１の他の実施例を示すものである。すなわち、同図（イ）は、フック形状の指掛け部３０を巻付体１０の下端部に一対設けたホルダー１である。同図（ロ）は、巻付体１０の胴部１１を上下一対の突起状に形成し、リング形状の指掛け部３０を設けたホルダー１である。同図（ハ）は、突起状の胴部１１を３本併設し、リング形状の指掛け部３０を設けたホルダー１を示している。このように、ホルダー１の巻付体１０、スライド固定部２０、指掛け部３０の形状や構成は任意に変更することが可能である。
【００３３】
本発明ホルダーを使用するには、まず、紐状体１３０の先端に連結した連結フック１３１（図２参照）を、操作ポール１１０先端の部材保持体１２０に連結する。次に、操作ポール１１０を任意の長さに調整し、この長さに合わせて紐状体１３０を巻付体１０に巻き付ける。そして、操作ポール１１０の下部側面にスライド固定部２０を嵌合し、操作ポール１１０に巻付体１０を固定する（図１参照）。このとき、紐状体１３０がピンと張った状態になるように巻付体１０を固定する。そうすると、巻付体１０を僅かにスライドさせるだけで部材保持体１２０の遠隔操作が可能になる。そして、操作ポール１１０を両手で操作し、操作ポール１１０先端の固定部材Ｓを支持体Ｔの固定位置に合わせる。この位置を両手で保ちながら、指掛け部３０に掛けた指を引き下げると、紐状体１３０が引き下がり、部材保持体１２０内の固定部材Ｓが支持体Ｔに固定されるものである。
【００３４】
また、操作ポール１１０の長さ全体が必要になるような高さの支持体Ｔに固定部材Ｓを固定する場合は、片手で操作ポール１１０を持ち、この手の指で指掛け部３０を引き下げる片手操作が可能になる。この場合においても、巻付体１０と共にスライド移動する紐状体１３０で部材保持体１２０を遠隔操作するので、部材保持体１２０を操作する際の安定性は保たれている。したがって、たとえ片手操作であっても、高所への正確な取付けが可能になる。
【００３５】
次に、本発明のホルダー１を装着する取付け工具１００の一実施例を説明する（図１参照）。図示の取付け工具１００は、弾性金具を圧縮する作業で簡単に装着できる構成の固定部材Ｓを吊りボルト等の支持体Ｔに固定する際に使用する取付け工具１００である（図６〜図１２参照）。
【００３６】
図示の固定部材Ｓは、帯状金具で形成された連結体Ｓ１とケーブル又は配管を支持する支持体Ｓ２とを備えたものである（図１１参照）。そして、連結体Ｓ１の長手側面に形成された上下一対の切欠係止口Ｓ３に支持体Ｔを通すと連結体Ｓ１の弾性力で連結体Ｓ１が支持体Ｔに固定状態となる固定部材Ｓである。
【００３７】
操作ポール１１０は、伸縮自在な杆体の上端部に固定ねじ部１１１を設けた杆状部材で、この固定ねじ部１１１に部材保持体１２０を着脱自在に連結するものである（図６参照）。
【００３８】
部材保持体１２０は、保持部１２１と固定解除部１２２とを備えた部材である（図７参照）。保持部１２１は、部材保持体１２０に上下スライド自在に設けられ、連結体Ｓ１の上下端部を保持する部位になっている。
【００３９】
図示の保持部１２１は、載置部１２１Ａとフック部１２１Ｂとで構成している（図７参照）。載置部１２１Ａは、連結体Ｓ１の下端部を載置する部位で、部材保持体１２０の側面に形成している。一方、フック部１２１Ｂは、突起状の固定軸１２１Ｃに上下移動自在に軸支された部位で、載置部１２１Ａの上部でスライドする略Ｌ字状の部位である。そして、載置部１２１Ａに載せた連結体Ｓ１の上端部にフック部１２１Ｂを当て、そのまま連結体Ｓ１を圧縮する方向にスライド移動させるものである（図８参照）。
【００４０】
固定解除部１２２は、連結体Ｓ１を圧縮した状態の保持部１２１の位置を固定する部材である（図１０参照）。また、この固定解除部１２２は、固定した保持部１２１の位置を解除する部材でもある（図７参照）。すなわち、固定解除部１２２に連結した紐状体１３０を引くと、固定解除部１２２が圧縮状態で固定している保持部１２１の位置がずれて圧縮状態が解除されるように構成している。
【００４１】
このように、保持部１２１の固定位置が解除されると、連結体Ｓ１の弾性力で保持部１２１を上方にスライドさせながら連結体Ｓ１が復元する際に、連結体Ｓ１の切欠係止口Ｓ３に通した支持体Ｔに固定部材Ｓが固定されるものである（図１３参照）。
【００４２】
図示の固定解除部１２２は、連結体Ｓ１の上端部を圧縮した位置のフック部１２１Ｂの上部に重ねて固定する固定体１２２Ａと、この固定体１２２Ａを部材保持体１２０に揺動自在に連結する連結体１２２Ｂとを備えている（図６参照）。
【００４３】
固定体１２２Ａは、揺動する方向に伸びた複数条の突起で形成されている（図６参照）。そして、固定体１２２Ａがフック部１２１Ｂ上まで揺動すると、連結体Ｓ１の圧縮状態の位置で押えて連結体Ｓ１を固定するものである（図８参照）。
【００４４】
固定解除部１２２の連結体１２２Ｂは、固定体１２２Ａと一体に設けられ、部材保持体１２０に設けた揺動軸１２２Ｃで揺動自在に連結された部位である（図６参照）。図示例では、固定体１２２Ａと連結体１２２Ｂとで略倒コ字状を成した固定解除部１２２を形成している。そして、紐状体１３０の遠隔操作で固定解除部１２２が揺動すると、フック部１２１Ｂの上部から固定体１２２Ａが外れるように構成したものである（図７参照）。
【００４５】
次に、図９乃至図１３に基づいて本発明取付け工具の使用手順を説明する。図９に示すように、保持部１２１に固定部材Ｓを装着する。すなわち、載置部１２１Ａに連結体Ｓ１の下端部を載置し、上端部をフック部１２１Ｂの下に配置するように装着する。
【００４６】
図１０に示すように、フック部１２１Ｂを下向きに押圧して連結体Ｓ１を圧縮しながら、フック部１２１Ｂの上に固定体１２２Ａを被せて固定する。この状態では、連結体Ｓ１が圧縮された状態のままで保持部１２１に保持されている。
【００４７】
更に、図１１に示すように、保持部１２１に保持した連結体Ｓ１の切欠係止口Ｓ３に、支持体Ｔを通す。この状態ではまだ連結体Ｓ１が圧縮された状態を保っている。
【００４８】
そして、図１２に示す如く、紐状体１３０を遠隔操作で引くと、固定解除部１２２が揺動してフック部１２１Ｂの上端から固定体１２２Ａが移動する。そうすると、圧縮状態の連結体Ｓ１は、自身の弾性力でフック部１２１Ｂを押し上げながら圧縮前の状態に復元することになる。
【００４９】
最後に、図１３に示す如く、連結体Ｓ１の復元時の弾性力にて切欠係止口Ｓ３内に挿入していた支持体Ｔに固定部材Ｓが固定されるものである。
【００５０】
尚、取付け工具１００は、図示例に限定されるものではなく、この他、引き込み電線等の支持体に危険標示旗を取り付ける取付け工具や、メッセンジャーワイヤーにケーブルハンガーを着脱する際に使用する取付け工具など、各種の取付け工具に装着することが可能である。また、本発明の巻付体１０、スライド固定部２０、指掛け部３０等の構成は図示例に限定されるものではなく、本発明の要旨を変更しない範囲での設計変更は自由である。
【符号の説明】
【００５１】
Ｓ  固定部材
Ｓ１  連結体
Ｓ２  支持体
Ｓ３  切欠係止口
Ｔ  支持体
１  ホルダー
１０  巻付体
１１  胴部
１２  フック部
１３  連結孔
１３Ａ  挿入口
１３Ｂ  係止口
２０  スライド固定部
２１  挟持片
３０  指掛け部
１００  取付け工具
１１０  操作ポール
１１１  固定ねじ部
１２０  部材保持体
１２１  保持部
１２１Ａ  載置部
１２１Ｂ  フック部
１２１Ｃ  固定軸
１２１Ｄ  フック部
１２２  固定解除部
１２２Ａ  固定体
１２２Ｂ  連結体
１２２Ｃ  揺動軸
１２２Ｄ  フック部
１２２Ｅ  固定杆
１３０  紐状体
１３１  連結フック
１３２  結び目